(57)【要約】【課題】時分割多重伝送方式の遠隔監視制御システムの利点を生かしつつ、セキュリティを向上させた電気錠管理システムを提供することにある。【解決手段】ホテルのフロントＦＲに設けてあるカード返却端末器２は、保管部２３にカードキー６が保管されると、伝送ユニット３から割り込み処理後に送られてくる自己アドレス宛の伝送信号Ｖｓの信号返送期間ＷＴに、保管されたことを示す監視情報を返送する。伝送ユニット３は、送られてきた監視情報に基づいたカード返却端末器２に１対１で対応するカードリーダ端末器１宛にカードリーダ部１２の動作を停止させる制御データＣＤを含む伝送信号Ｖｓを送り、複製のカードキーによる解錠を防ぐ。【選択図】図１
2008133616.tif 000002
【特許請求の範囲】
【請求項１】
伝送ユニットと、個別のアドレスを有する複数の端末器とを２線の信号線に接続し、伝送ユニットが前記アドレスに基づき前記信号線を介して前記各端末器との間で時分割多重の伝送信号によって情報を授受し、一の端末器から受け取った情報を反映させた情報を、前記一の端末器に予め対応付けてある他の端末器に伝送する遠隔監視制御システムを用いるものであって、
部屋毎に設けられるカードキー用電気錠に対応して設置され、カードキーのカード情報を読み取ってカード情報をカードリーダ部と、該カードリーダ部で読み取ったカード情報の認証に基づいて電気錠を解錠する電気錠制御部とを有する複数のカードリーダ端末器を前記他の端末器として備えるとともに、前記カードキーを収納保管し且つ保管したカードキーのカード情報を読み取るカードリーダ部と、該カードリーダ部からのカード情報に基づいてカードキーの保管／非保管を判断し、保管情報／非保管情報を前記伝送ユニットに伝送する手段とを有する複数のカード返却端末器を前記一の端末器として備えて、前記カードリーダ端末器のアドレスと前記カード返却端末器のアドレスとを各別に１対１で対応付けて設定し、
前記伝送ユニットは、前記カード返却端末器から受け取る保管情報／非保管情報に基づいて、当該カード返却端末器のアドレスに対応付けてあるカードリーダ端末器宛に電気錠の解錠に対応する動作を可能／不可能とする制御情報を伝送し、
当該カードリーダ端末器では前記伝送ユニットから受け取った制御情報に基づき、電気錠の解錠に対応する動作を可能／不可能に設定することを特徴とする電気錠管理システム。
【請求項２】
伝送ユニットと、個別のアドレスを有する複数の端末器とを２線の信号線に接続し、伝送ユニットが前記アドレスに基づき前記信号線を介して前記各端末器との間で時分割多重の伝送信号によって情報を授受し、一の端末器から受け取った情報を反映させた情報を、前記一の端末器に予め対応付けてある他の端末器に伝送する遠隔監視制御システムを用いるものであって、
部屋毎に設けられるカードキー用電気錠に対応して設置され、カードキーのカード情報を読み取ってカード情報をカードリーダ部と、該カードリーダ部で読み取ったカード情報に含まれるＩＤ情報と、カードリーダ部で記憶されているＩＤ情報との照合結果に基づいて電気錠を解錠させる電気錠制御部とを有する複数のカードリーダ端末器を前記他の端末器として備えるとともに、前記カードキーを収納保管するとともに収納保管されるカードキーのカード情報を読み取るカードリーダ部と、該カードリーダ部からのカード情報の有無によりカードキーの保管と非保管とを判断し、カードキーの収納保管時に当該カードリーダ部の設定ＩＤを変更するとともに、変更用ＩＤ情報を前記伝送ユニットに伝送させる手段とを有する複数のカード返却端末器を前記一の端末器として備えて、カードリーダ端末器のアドレスとカード返却端末器のアドレスとを各別に１対１で対応付けて設定し、
前記伝送ユニットは、前記カード返却端末器から変更用ＩＤ情報を受け取ると、当該カード返却端末器のアドレスに対応付けてあるカードリーダ端末器宛に変更用ＩＤ情報を伝送し、
当該カードリーダ端末器は前記伝送ユニットから受け取った変更用ＩＤ情報に基づいて自己のカードリーダ部の設定ＩＤを変更することを特徴とする電気錠管理システム。
【発明の詳細な説明】
【技術分野】
【０００１】
本発明は、ホテルやテナントビルの各部屋のドアに設ける電気錠に対応した時分割多重伝送方式の電気錠管理システムに関するものである。
【背景技術】
【０００２】
部屋の照明負荷を時分割多重伝送方式の遠隔監視制御システムを用いることでスイッチ周りの省配線化を図るとともに、照明負荷の状態の監視を集中して行うテナントビルやホテル等が近年多くなってきている。
【０００３】
一方部屋の鍵としてカードキー式の電気錠を使用するテナントビルやホテルも多くなってきている。
【０００４】
そこで、上述のように照明負荷の制御監視に用いる時分割多重伝送方式の遠隔監視制御システムに、カードリーダ端末器と電気錠端末器とを設けて、カードリーダ端末器でカードキーに記録してある照合コードや識別コードからなるカード情報を読み取り、このカード情報をシステムの中枢となる親機（伝送ユニット）に送ってコード判定を行い、このコード判定の結果に基づいて電気錠端末器に解錠させる制御信号を送るシステムも提供されてきている（例えば、特許文献１，特許文献２）。
【特許文献１】特開平６−２８０４２９号公報、特開平６−２８０４２９号公報
【発明の開示】
【発明が解決しようとする課題】
【０００５】
上述の特許文献１、特許文献２に示されるようなシステムでは、カードキーとして磁気カード等が使用されるが、このカードキーが複製されて使用された場合には、正規のカードキーと同様に電気錠の解錠が行えるため、セキュリティ上の課題があった。
【０００６】
本発明は、上述の点に鑑みて為されたもので、その目的とするところは時分割多重伝送方式の遠隔監視制御システムの利点を生かしつつ、セキュリティを向上させた電気錠管理システムを提供することにある。
【課題を解決するための手段】
【０００７】
上述の目的を達成するために、請求項１の発明では、伝送ユニットと、個別のアドレスを有する複数の端末器とを２線の信号線に接続し、伝送ユニットが前記アドレスに基づき前記信号線を介して前記各端末器との間で時分割多重の伝送信号によって情報を授受し、一の端末器から受け取った情報を反映させた情報を、前記一の端末器に予め対応付けてある他の端末器に伝送する遠隔監視制御システムを用いるものであって、部屋毎に設けられるカードキー用電気錠に対応して設置され、カードキーのカード情報を読み取ってカード情報をカードリーダ部と、該カードリーダ部で読み取ったカード情報の認証に基づいて電気錠を解錠する電気錠制御部とを有する複数のカードリーダ端末器を前記他の端末器として備えるとともに、前記カードキーを収納保管し且つ保管したカードキーのカード情報を読み取るカードリーダ部と、該カードリーダ部からのカード情報に基づいてカードキーの保管／非保管を判断し、保管情報／非保管情報を前記伝送ユニットに伝送する手段とを有する複数のカード返却端末器を前記一の端末器として備えて、前記カードリーダ端末器のアドレスと前記カード返却端末器のアドレスとを各別に１対１で対応付けて設定し、前記伝送ユニットは、前記カード返却端末器から受け取る保管情報／非保管情報に基づいて、当該カード返却端末器のアドレスに対応付けてあるカードリーダ端末器宛に電気錠の解錠に対応する動作を可能／不可能とする制御情報を伝送し、当該カードリーダ端末器では前記伝送ユニットから受け取った制御情報に基づき、電気錠の解錠に対応する動作を可能／不可能に設定することを特徴とする。
【０００８】
また請求項２の発明では、伝送ユニットと、個別のアドレスを有する複数の端末器とを２線の信号線に接続し、伝送ユニットが前記アドレスに基づき前記信号線を介して前記各端末器との間で時分割多重の伝送信号によって情報を授受し、一の端末器から受け取った情報を反映させた情報を、前記一の端末器に予め対応付けてある他の端末器に伝送する遠隔監視制御システムを用いるものであって、部屋毎に設けられるカードキー用電気錠に対応して設置され、カードキーのカード情報を読み取ってカード情報をカードリーダ部と、該カードリーダ部で読み取ったカード情報に含まれるＩＤ情報と、カードリーダ部で記憶されているＩＤ情報との照合結果に基づいて電気錠を解錠させる電気錠制御部とを有する複数のカードリーダ端末器を前記他の端末器として備えるとともに、前記カードキーを収納保管するとともに収納保管されるカードキーのカード情報を読み取るカードリーダ部と、該カードリーダ部からのカード情報の有無によりカードキーの保管と非保管とを判断し、カードキーの収納保管時に当該カードリーダ部の設定ＩＤを変更するとともに、変更用ＩＤ情報を前記伝送ユニットに伝送させる手段とを有する複数のカード返却端末器を前記一の端末器として備えて、カードリーダ端末器のアドレスとカード返却端末器のアドレスとを各別に１対１で対応付けて設定し、前記伝送ユニットは、前記カード返却端末器から変更用ＩＤ情報を受け取ると、当該カード返却端末器のアドレスに対応付けてあるカードリーダ端末器宛に変更用ＩＤ情報を伝送し、当該カードリーダ端末器は前記伝送ユニットから受け取った変更用ＩＤ情報に基づいて自己のカードリーダ部の設定ＩＤを変更することを特徴とする。
【発明の効果】
【０００９】
請求項１の発明によれば、正規のカードキーが返却カードリーダ端末器に保管されいる状態では、複製されたカードキーが使用されても電気錠が解錠されないため、部屋への不法侵入などに対するセキュリティが向上され、しかも２線の信号線で時分割多重の伝送信号を伝送するシステムを利用することで、部屋の増設や、改装等に簡単に対応することができ、また照明負荷の制御監視に用いる遠隔監視制御システムに組み込むこともできる。
【００１０】
請求項２の発明によれば、正規のカードキーが返却カードリーダ端末器に保管される度に、カードリーダ端末器の設定ＩＤを自動的に変更することができ、複製されたカードキーが使用されてもＩＤ不一致によって電気錠が解錠されないため、部屋への不法侵入などに対するセキュリティが向上され、しかも２線の信号線で時分割多重の伝送信号を伝送するシステムを利用することで、部屋の増設や、改装等に簡単に対応することができ、また照明負荷の制御監視に用いる遠隔監視制御システムに組み込むこともできる。
【発明を実施するための最良の形態】
【００１１】
以下本発明を実施形態により説明する。
（実施形態１）
図１は、例えばホテルに設置する本実施形態のシステム構成を示しており、図示するように各部屋Ｒ１…には個別のアドレスが設定されているカードリーダ端末器１（１１〜１ｎ）をドア部に設置する一方、フロントＦＲには各カードリーダ端末器１１〜１ｎのアドレスと１対１で対応付けてあるアドレスが設定されているカード返却端末器２（２１〜２ｎ）と、伝送ユニット３とを設置し、カードリーダ端末器１１〜１ｎとカード返却端末器２１〜２ｎと伝送ユニット３とを専用２線の信号線４に接続することで電気錠管理システムを構成している。
【００１２】
尚カードリーダ端末器１側のアドレスとこれに対応関係を持つカード返却端末器２側のアドレスとの組み合わせを同一チャンネルとして決めておき、後述するアドレス設定器（図示せず）でアドレス設定を行う場合には、使用するチャンネルを夫々において設定するだけで、同じチャンネル同士のカードリーダ端末器１のアドレスとカード返却端末器２のアドレスとの対応関係が一義的に設定されるようになっている。
【００１３】
カードリーダ端末器１は、図２に示すように電気錠５を一体に組み込んで構成され、マイコンからなる信号処理部１０と、伝送ユニット３から伝送されてくる後述する時分割多重の伝送信号Ｖｓの受信と返送信号の送信とを行うための多重伝送信号送受信部１１と、カードキー６のカード情報を読み取るためのカードリーダ部１２と、電気錠５の施錠／解錠を制御する電気錠制御部１３と、当該端末器１の個別の設定アドレスを記憶するアドレス記憶部１４と、アドレス設定器（図示せず）との間で例えばワイヤレス信号により、アドレス設定器からアドレス設定（チャンネル設定）情報を受け取ったり、設定アドレスの情報をアドレス設定器へ送信するアドレス送受信部１５と、電気錠５の電源供給を含めて当該端末器１全体の動作電源を供給する電源回路部１６とで構成される。
【００１４】
信号処理部１０は、カードリーダ部１２でカードキー６から読み取ったカード情報に含まれるＩＤコードと予め設定されている設定ＩＤとが一致している場合に、施錠状態の電気錠５を電気錠制御部１３により解錠させる指示を与える機能と、伝送ユニット３から後述する時分割多重の伝送信号Ｖｓにより自己アドレス宛に送られてくる制御データ（制御情報）ＣＤに基づいてカードリーダ部１２の読み取り動作を可能/不可能に設定する機能と、アドレス送受信部１５でアドレス設定情報が受信されるとアドレス記憶部１４に記憶している設定アドレスをアドレス設定情報に基づいて更新して、該更新した設定アドレスを当該端末器１のアドレスとする機能等をプログラムにより実現している。
【００１５】
カード返却端末器２は、図３に示すようにマイコンからなる信号処理部２０と、伝送ユニット３から伝送されてくる後述する時分割多重の伝送信号Ｖｓの受信と返送信号の送信とを行うための多重伝送信号送受信部２１と、カードキー６のカード情報を読み取るためのカードリーダ部２２と、当該端末器２の個別の設定アドレスを記憶するアドレス記憶部２３と、アドレス設定器（図示せず）との間でカードリーダ端末器１と同様にワイヤレス信号に情報の授受を行うアドレス送受信部２４と、電気錠５の電源供給を含めて当該端末器１全体の動作電源を供給する電源回路部２５とで構成され、カードリーダ部２２は、図１に示すように前面からカードキー６を挿抜自在に収納保管する保管部２３を備えている。
【００１６】
信号処理部２０は、カードリーダ部２２から出力されるカード情報が含まれるＩＤコードと予め設定されているＩＤとが一致している場合に所定のカードキー６が保管部２３に保管された判断とし、またカードリーダ部２２からカード情報が出力されなくなると、非保管状態になったと判断し、夫々の判断に対応して後述する伝送信号Ｖｓの信号返送期間ＷＴにおいて多重伝送信号送受信部１１から保管情報或いは非保管情報を伝送ユニット３に送信させる処理機能や、アドレス送受信部２１でアドレス設定情報が受信されるとアドレス記憶部２３に記憶している設定アドレスをアドレス設定情報に基づいて更新して、該更新した設定アドレスを当該端末器のアドレスとする機能等がプログラムにより実現されている。
【００１７】
伝送ユニット３は、信号線４に対して、図４に示すフォーマットの固定長の伝送信号Ｖｓを送出する機能を備えており、送出される伝送信号Ｖｓは、図４（ａ）のようにパルス幅変調された双極性（±２４Ｖ）の時分割多重信号であり、信号送出開始を示す同期信号ＳＴ、伝送信号Ｖｓのモードを示すモードデータＭＤ、端末器１，２に個々にアクセスするのに用いるアドレスデータＡＤ、制御データＣＤ、伝送誤りを検出するためのチェックサムデータＣＳ、各端末器１，２からの返送信号を受信するタイムスロットである信号返送期間ＷＴを含む。伝送信号Ｖｓにおいて信号返送期間ＷＴ以外には上述のように電圧モード信号を伝送しているが、信号返送期間ＷＴには電流モード信号（信号線４を適当な低インピーダンスを介して短絡することにより送出される信号）を伝送する。
【００１８】
而して、伝送ユニット３では、通常時は、モードデータＭＤをダミーモードとしアドレスデータＡＤを循環的に変化させた伝送信号Ｖｓを一定時間間隔で送出している（常時ポーリング）。
【００１９】
そして或るカード返却端末器２においてカードキー６が保管部２３に収納保管され、カードリーダ部２２がカードキー６のカード情報を読み取ると、信号処理部２０では読み取ったカード情報のＩＤコードと信号処理部２０に設定されている設定ＩＤとの照合を行い一致している場合には、当該カード返却端末器２に対応するカードキー６が返却された判断し、保管情報を監視情報として伝送ユニット３に送るための処理動作を開始する。
【００２０】
つまり、当該カード返却端末器２では、ダミーモードの伝送信号Ｖｓの同期信号ＳＹに同期させて図４（ｂ）のような割込信号Ｖｉを多重伝送信号送受信部２１から発生させるとともに割込フラグを設定する。
【００２１】
一方、伝送ユニット３では、ダミーモードの伝送信号Ｖｓにおいて、カード返却端末器２からの割込信号Ｖｉを検出すると、当該伝送信号ＶｓのモードデータＭＤをアドレス検索モードとする。割込フラグを設定した当該カード返却端末器２では、アドレス検索モードの伝送信号Ｖｓを受信すると、この伝送信号Ｖｓの信号返送期間ＷＴにおいて自己の設定アドレスを返送する。
【００２２】
この返送によって伝送ユニット３では、割込信号Ｖｉを発生させたカード返却端末器２のアドレスを取得すると、この取得アドレスをアドレスデータＡＤとしてカード返却端末器２から監視情報を受け取るための伝送信号Ｖｓを信号線４に送出する。これにより当該カード返却端末器２では、この伝送信号Ｖｓの信号返送期間ＷＴにおいてカード返却端末器２から伝送ユニット３に監視情報、つまり保管情報を返送信号として送ることができることになる。
【００２３】
さて伝送ユニット３では、伝送信号ＶｓのアドレスデータＡＤ及び信号返送期間ＷＴに受け取った監視情報から、伝送ユニット３に内蔵した記憶部（図示せず）の対応付けテーブルと照合し、当該カード返却端末器２のアドレスに対応するカードリーダ端末器１のアドレスを抽出する。そして保管状態である監視情報に基づいて当該カードリーダ端末器１を指定するアドレスデータＡＤを有し、且つカードリーダ部２２の動作を停止させるための制御内容を持つ制御データＣＤを有する伝送信号Ｖｓを伝送する。
【００２４】
信号線４を介して受信した伝送信号Ｖｓにより伝送されたアドレスデータＡＤが自己の設定アドレスに一致したと信号処理部１０が判断したカードリーダ端末器１では、信号処理部１０によって伝送信号Ｖｓから制御データＣＤを取り込み、制御データＣＤに基づいてカードリーダ部１２の動作を不可能（停止）とする設定する。
【００２５】
そして保管部２３からカードキー６が取り出されると、カード返却端末器２の信号処理部２１ではカードリーダ部２１から読み取ったカード情報が入力しなくなるため、カードキー６の非保管状態となったと判断し、上述の監視情報を送る手順と同じ手順で非保管情報として監視情報を伝送ユニット５へ送る。
【００２６】
伝送ユニット５ではこの非保管情報たる監視情報を受け取ると、当該カード返却端末器２に対応するカードリーダ端末器１に対して上述と同様な手順でカードリーダ部１２を動作可能するための制御データＣＤを伝送信号Ｖｓにより伝送する。
【００２７】
この制御データＣＤを受け取った当該カードリーダ端末器１の信号処理部１０では制御データＣＤの内容に基づいてカードリーダ部１２を動作可能と設定する。これによってカードキー６を用いて当該部屋Ｒの電気錠５を解錠させることができることになる。
【００２８】
以上のように本実施形態では、保管状態にあるカードキー６を複製したカードキーを用いて対応する部屋Ｒの電気錠５を解錠させようとしても、当該部屋Ｒのカードリーダ端末器１のカードリーダ部１２はカードキーのカード情報を読み取らないため、電気錠５は解錠されることはない。つまり、保管状態にあるカードキー６を複製したカードキーの不正使用を防ぐことで、セキュリティ性の高い電気錠管理システムを構築することができるのである。
【００２９】
ところで、本実施形態では、カード返却端末器２においてカードキー６が返却されている場合、当該カード返却端末器２に対応関係を持つカードリーダ端末器１のカードリーダ部１２の読み取り動作を停止させることで、複製されたカードキーの使用によって電気錠５が解錠されるのを防ぐようにしているが、電気錠制御部１３の解錠動作自体を不可能としたり、信号処理部１０でのＩＤ照合を停止して電気錠制御部１３の解錠動作を不可能とする方法を採用しても複製されたカードキーの使用による電気錠５の解錠を防ぎ、セキュリティを高めることができる。
【００３０】
また時分割多重伝送方式を採用することで、部屋Ｒの増設や変更などがあっても信号線３に端末器１，２を接続するだけで対応することができるという利点もある。
【００３１】
尚本実施形態では、カード情報のＩＤ情報と設定ＩＤの照合をカードリーダ端末器１の信号処理部１０において行うようにしているが、カードリーダ部１２で読み取ったカード情報を返送信号として伝送ユニット３側に送って伝送ユニット３で照合を行い、その照合結果に基づいて、当該カードリーダ端末器１に電気錠５を解錠する制御データＣＤを送るようにしても良い。この方法では、カード返却端末器２においてカードキー６が返却されている場合、当該カード返却端末器２に対応関係を持つカードリーダ端末器１から送らＩＤ情報が送られてきてもＩＤ照合を伝送ユニット３で拒否することで、複製されたカードキーの使用によって電気錠５が解錠されるのを防ぐことができる。
（実施形態２）
上述の実施形態１の場合には、カード返却端末器２においてカードキー６が返却されている場合、当該カード返却端末器２に対応関係を持つカードリーダ端末器１のカードリーダ部１１で複製されたカードキーのカード情報を読ませようとしても、当該カードキーのＩＤ情報の読み取りが行われない（或いは電気錠制御部１３の解錠動作停止、ＩＤ照合の停止）ため、結果として電気錠５が解錠されないようになっているが、本実施形態では カード返却端末器２からカードキー６が収納保管されたことを示す保管情報からなる監視情報を受け取ると、伝送ユニット３から対応するカードリーダ端末器１に対して制御処理部１０に設定している電気錠５の解錠のための認証に用いるカードリーダ部１１の設定ＩＤを変更するＩＤ情報を制御データＣＤとして伝送信号Ｖｓにより送るようにしている。
【００３２】
またカード返却端末器２ではカードリーダ部の代わりにカードリーダ／ライタ部を用い、伝送ユニット３からカードリーダ端末器１と同様に変更されたＩＤ情報を受け取り、このＩＤ情報を用いて保管部２３に保管されているカードキー６のＩＤ情報を更新するようになっている。尚その他の構成は実施形態１と同じであるのでシステム構成及び各端末器１，２のハードウェア構成の図示は省略する。
【００３３】
而して、カードキー６がカード返却端末器２に返却される都度、対応するカードリーダ端末器１のカードリーダ部の設定ＩＤが変更されることになり、返却前に正規のカードキー６から複製したカードキーが使用されても、カードリーダ部１１で読み取ったＩＤ情報と設定ＩＤとの照合結果が不一致となるため、信号処理部１０は電気錠制御部１３に対して電気錠５を解錠する指示は与えない。従って複製されたカードキーが使用されても電気錠５が解錠されるのを防ぐことができるのである。
【００３４】
またカード返却端末器２の保管部２３に保管されているカードキー６のＩＤ情報も更新されることで、当該カードキー６をカード返却端末器２の保管部２３から取り出して使用しても、対応するカードリーダ端末器１では正規のカードキーとして認証され、電気錠５を解錠させることができる。
【００３５】
以上のように本実施形態ではカードキー６をカード返却端末器２に返却する度に電気錠５の解錠のための認証に用いるＩＤを変更するため、複製されたカードキーの使用による電気錠５の解錠を防ぎ、セキュリティを高めることができる。
【００３６】
ところで、上記実施形態１，２はホテルでの使用例を挙げているが、テナントビル、或いは寮等においても使用できるのは勿論である。これらの場合には伝送ユニット３及びカード返却端末器２が設置される場所としては、保管されたカードキー６を管理する必要上、例えば管理人室等となる。
【００３７】
また時分割多重伝送方式を用いて照明負荷等の設備を監視制御するシステムと伝送ユニット３を共用する形でシステム構築を行えば、省配線等更に有効となる。
【図面の簡単な説明】
【００３８】
【図１】実施形態１のシステム構成図である。
【図２】実施形態１に用いるカードリーダ端末器の構成図である。
【図３】実施形態１に用いるカード返却端末器の構成図である。
【図４】実施形態１に用いる伝送信号の説明図である。
【符号の説明】
【００３９】
１１〜１ｎ   カードリーダ端末器
１２  カードリーダ部
２１〜２ｎ  カード返却端末器
２３  保管部
３  伝送ユニット
４  信号線
Ｒ１〜Ｒｎ  部屋
ＦＲ  フロント
【図１】
2008133616.tif 000003
【図２】
2008133616.tif 000004
【図３】
2008133616.tif 000005
【図４】
2008133616.tif 000006